(57)【要約】【課題】放送が行われていないチャンネルの放送波スキャン時間を短縮することで、全てのチャンネルの放送波スキャンする合計時間を短縮でき、省電力動作を図る。【解決手段】チャンネル検出方法は、放送波スキャン開始を指示する処理Ｐ１と、同調制御を行う処理Ｐ２と、ＯＦＤＭ復調部を初期化・動作開始し、同期確立タイマ部２４ａのカウント開始する処理Ｐ３と、放送が行われていると判断する処理Ｐ４−１と、同期確立タイマ部２４ａの満了を判定する処理Ｐ４−２と、ＴＳ信号Ｓｔｓを出力し、放送パラメータを検出中であることを通知する処理Ｐ５と、次チャンネルへの遷移を指示する処理Ｐ６と、最終チャンネルを判定する処理Ｐ７と、遷移動作を行う処理Ｐ８と、放送波スキャン終了する処理Ｐ９とを実行する。放送が行われていないときは、復調部２２ｂ、誤り訂正部２２ｃ、デコーダ２６は動作しない。【選択図】図１
2008118196.tif 000002
【特許請求の範囲】
【請求項１】
デジタル信号からなる放送波のスキャン指示に基づいて、前記放送波に対する所定の周波数帯域のチャンネルが設定され、前記設定されたチャンネルを選択して同調をとる同調処理と、
前記同調処理の処理結果に対し、同期確立を行って同期再生信号を出力すると共に、所定の時間の計時を開始する同期確立処理と、
前記所定の時間の計時が完了する前に、前記チャンネルにおいて放送が行われているかの判定を行う判定処理と、
前記同期再生信号を復調してトランスポートストリーム信号を出力する復調処理と、
前記トランスポートストリーム信号を復号すると共に、前記トランスポートストリーム信号に対する放送パラメータの抽出を行うデコード処理と、
前記放送パラメータの抽出が完了、または、抽出不可能のときに次の前記チャンネルへの遷移指示が与えられて、前記所定の時間の計時が完了しているときには、前記チャンネルが最終チャンネルでなければ、次の前記チャンネルを前記同調処理に対して設定し、前記最終チャンネルであればチャンネル検出を終了する遷移処理と、
を実行することを特徴とするデジタル放送のチャンネル検出方法。
【請求項２】
前記放送波は、逆フーリエ変換された送信データであることを特徴とする請求項１記載のデジタル放送のチャンネル検出方法。
【請求項３】
前記復調処理は、高速フーリエ変換を行って、前記同期再生信号を復調することを特徴とする請求項１または２記載のデジタル放送のデジタル放送のチャンネル検出方法。
【請求項４】
前記復調処理は、前記同期再生信号を復調し、前記復調された前記同期再生信号の誤りを訂正して前記トランスポートストリーム信号を出力することを特徴とする請求項１、２または３記載のデジタル放送のチャンネル検出方法。
【請求項５】
放送波のスキャン指示に基づいて、前記放送波に対する所定の周波数帯域のチャンネルが設定され、前記設定されたチャンネルを選択して同調をとる同調処理と、
前記同調処理の処理結果に対し、同期確立を行って同期再生信号を出力すると共に、第１の時間の計時を開始する同期確立処理と、
前記第１の時間の計時が完了する前に、前記チャンネルにおいて放送が行われているかの判定を行う第１の判定処理と、
前記同期再生信号を復調し、前記復調された前記同期再生信号の誤りを訂正してトランスポートストリーム信号を出力すると共に、第２の時間の計時を開始する誤り訂正処理と、
前記第２の時間の計時が完了する前に、前記チャンネルにおいて放送が行われているかの判定を行う第２の判定処理と、
前記トランスポートストリーム信号を復号すると共に、前記トランスポートストリーム信号から、第１の放送局情報を含む放送パラメータの抽出を行うデコード処理と、
前記放送パラメータの抽出が完了、または、抽出不可能のときに次の前記チャンネルへの遷移指示が与えられて、前記第１の時間及び前記第２の時間の計時が完了しているときには、前記チャンネルが最終チャンネルでなければ、次の前記チャンネルを前記同調処理に対して設定し、前記最終チャンネルであればチャンネル検出を終了する遷移処理と、
を実行することを特徴とするデジタル放送のチャンネル検出方法。
【請求項６】
請求項５記載のデジタル放送のチャンネル検出方法には、更に、
最初に前記放送パラメータを抽出した際に、前記放送パラメータの中から前記第１の放送局情報を抽出し、抽出された前記第１の放送局情報に対応した第２の放送局情報に展開し、前記第２の放送局情報を取得する取得処理を実行することを特徴とするデジタル放送のチャンネル検出方法。
【請求項７】
放送波のスキャン指示に基づいて、前記放送波に対する所定の周波数帯域のチャンネルが設定され、前記設定されたチャンネルを選択して同調をとるチューナと、
前記チューナの同調の結果に対し、同期確立を行って同期再生信号を出力する同期確立部と、
前記同期確立部が同期確立を行ったときに、所定の時間の計時を開始する計時手段と、
前記所定の時間の計時が完了する前に、前記チャンネルにおいて放送が行われているかの判定を行う判定手段と、
前記同期再生信号を復調してトランスポートストリーム信号を出力する復調手段と、
前記トランスポートストリーム信号を復号すると共に、前記トランスポートストリーム信号に対する放送パラメータの抽出を行うデコード手段と、
前記放送パラメータの抽出が完了、または、抽出不可能のときに次の前記チャンネルへの遷移指示が与えられて、前記所定の時間の計時が完了しているときには、前記チャンネルが最終チャンネルでなければ、次の前記チャンネルを前記同調処理に対して設定し、前記最終チャンネルであればチャンネル検出を終了する制御手段と、
を有することを特徴とするデジタル放送の受信装置。
【請求項８】
前記復調手段は、
高速フーリエ変換を行って、前記同期再生信号を復調する復調部と、
前記復調された前記同期再生信号の誤りを訂正して前記トランスポートストリーム信号を出力する誤り訂正部と、
とにより構成されていることを特徴とする請求項７記載のデジタル放送の受信装置。
【請求項９】
放送波のスキャン指示に基づいて、前記放送波に対する所定の周波数帯域のチャンネルが設定され、前記設定されたチャンネルを選択して同調をとるチューナと、
前記チューナの同調の結果に対し、同期確立を行って同期再生信号を出力する同期確立部と、
同期確立部が同期確立を行ったときに、第１の時間の計時を開始する第１の計時手段と、
前記第１の時間の計時が完了する前に、前記チャンネルにおいて放送が行われているかの判定を行う第１の判定手段と、
前記同期再生信号を復調する復調部と、
前記復調された同期再生信号の誤りを訂正してトランスポートストリーム信号を出力する誤り訂正部と、
誤り訂正部が前記誤りを訂正したときに、第２の時間の計時を開始する第２の計時手段と、
前記第２の時間の計時が完了する前に、前記チャンネルにおいて放送が行われているかの判定を行う第２の判定手段と、
前記トランスポートストリーム信号を復号すると共に、前記トランスポートストリーム信号から、第１の放送局情報を含む放送パラメータの抽出を行うデコード手段と、
前記放送パラメータの抽出が完了、または、抽出不可能のときに次の前記チャンネルへの遷移指示が与えられて、前記第１の時間及び前記第２の時間の計時が完了しているときには、前記チャンネルが最終チャンネルでなければ、次の前記チャンネルを前記同調処理に対して設定し、前記最終チャンネルであればチャンネル検出を終了する制御手段と、
を有することを特徴とするデジタル放送の受信装置。
【請求項１０】
請求項９記載のデジタル放送の受信装置には、更に、
最初に前記放送パラメータを抽出した際に、前記放送パラメータの中から前記第１の放送局情報を抽出し、抽出された前記放送局情報に対応した第２の放送局情報に展開し、前記第２の放送局情報を取得する取得手段を有することを特徴とするデジタル放送の受信装置。
【発明の詳細な説明】
【技術分野】
【０００１】
本発明は、放送チャンネルのチャンネル検出を高速に行うデジタル放送のチャンネル検出方法と、この方法を用いた地上デジタル受信装置等の受信装置に関するものである。
【背景技術】
【０００２】
図２（ａ），（ｂ）は、従来のデジタル放送の復調方法を示す図である。同図（ａ）は、放送波の概略の処理を示す図、及び同図（ｂ）はベースバンド信号（これは放送波信号といわれる。）のフレーム構成図である。
【０００３】
従来の放送波ＵＨＦの処理は、放送局から送信されたチャンネル番号と物理周波数を含む放送波ＵＨＦを受信処理してから行う。受信処理された放送波ＵＨＦは、チューナ処理で選択され、所定の周波数に同調して、ベースバンド信号Ｓ１１ｂとして出力される。ベースバンド信号Ｓ１１ｂは、復調処理されて、トランスポートストリーム（以下「ＴＳ」という。）信号Ｓｔｓとして出力される。
【０００４】
ベースバンド信号Ｓ１１ｂは、複数の伝送シンボルＳＢをひとまとめにして１フレームＦＭが構成される。各伝送シンボルＳＢは、ガードインターバルＧＩと有効シンボルＳとにより構成されている。
【０００５】
従来のデジタル放送の復調方法では、伝送路に歪みやマルチパスが存在すると、受信信号の直交性は損傷を受けて乱され、復調信号に符号間干渉（Inter Carrier Interference、以下「ＩＣＩ」という。）を生じることになり、誤り率を悪化させる。これを解決するために、緩衝データ部分として無効なＩＣＩ吸収用のガードインターバルＧＩが設けられる。
【０００６】
このような従来におけるデジタル放送のチャンネル検出方法及びそれを用いた受信装置の例としては、例えば、次のような文献等に記載されるものがあった。
【０００７】
【特許文献１】特開２００４−１７９９２８号公報
【特許文献２】特開２００５−３３３１９０号公報
【０００８】
特許文献１では、受信環境が安定でない場合において、デジタル放送チャンネルを確実にチャンネルリストに記憶させるチャンネル検出方法及びそれを用いた受信装置が記載されている。また、特許文献２では、ネットワークインフォメーションテーブル（以下「ＮＩＴ」という。）に含まれる放送パラメータを取得して、対象の放送波であるか否かの判定を行う処理を、一部のチャンネルのみで行うチャンネル検出方法及びそれを用いた受信装置が記載されている。
【０００９】
しかしながら、特許文献１，２に記載されたデジタル放送の受信方法及び受信装置では、受信装置が設置場所から動かされないことが前提で、携帯電話やカーナビ等の頻繁に放送エリアがかわる携帯端末に適用した場合は、放送チャンネルを誤検出することがあるという欠点があった。このような欠点を解決するために、図３のような放送エリアが頻繁にかわる携帯電話や、カーナビ等の携帯端末に搭載が可能な地上デジタル放送受信装置が提案されている。
【００１０】
図３は、従来の地上デジタル放送受信装置を示す概略の構成図である。
この地上デジタル放送受信装置は、放送波ＵＨＦを受信してベースバンド信号Ｓ１１ｂを出力する受信部１１と、ベースバンド信号Ｓ１１ｂを復調してＴＳ信号Ｓｔｓとして出力する直交波周波数分割多重（以下「ＯＦＤＭ」という。）復調部１２とを有している。ＯＦＤＭ復調部１２の出力側には、ＴＳ信号Ｓｔｓを復号して出力データＤｏｕｔを出力すると共に、デコード信号Ｓ１３を出力するデコーダ１３が接続され、更に、このデコーダ１３に、制御信号Ｓ１４−１，Ｓ１４−２，Ｓ１４−３を出力するＣＰＵ１４が接続されている。
【００１１】
受信部１１は、放送波ＵＨＦを受信するアンテナ１１ａと、放送波ＵＨＦに対して所定の周波数帯域のチャンネルを選択して同調をとり、ベースバンド信号Ｓ１１ｂを出力するチューナ１１ｂとで構成されている。ＯＦＤＭ復調部１２は、ベースバンド信号Ｓ１１ｂに同期確立を行って同期再生信号Ｓ１２ａを出力する同期確立部１２ａと、同期再生信号Ｓ１２ａに高速フーリエ変換を行って復調信号Ｓ１２ｂを出力する復調部１２ｂと、復調信号Ｓ１２ｂの誤りを訂正して、デインタリーブ処理を行い、ＴＳ信号Ｓｔｓを出力する誤り訂正部１２ｃとにより構成されている。
【００１２】
次に、図３の地上デジタル放送受信装置の動作を説明する。
先ず、アンテナ１１ａで放送波ＵＨＦを受信し、チューナ１１ｂに入力する。チューナ１１ｂは、放送波ＵＨＦを所定の周波数に同調させ、図示されていないバンドパスフィルタにて不要周波数帯を除去し、ベースバンド信号Ｓ１１ｂとしてＯＦＤＭ復調部１２に出力する。
【００１３】
ベースバンド信号Ｓ１１ｂは、最初に同期確率部１２ａで同期確立され、同期再生信号Ｓ１２ａとして出力される。同期再生信号１２ａは、復調部１２ｂで復調処理が行われ、復調信号Ｓ１２ｂとして出力される。復調信号Ｓ１２ｂは、誤り訂正部１２ｃで誤り訂正やデインタリーブ処理が施され、ＴＳ信号Ｓｔｓとしてデコーダ１３に出力される。
【００１４】
ＴＳ信号Ｓｔｓは、デコーダ１３で多重化された各種情報に分離され、図示されていないスピーカ、イヤホン、表示デバイス等へ出力データＤｏｕｔとして出力される。出力データＤｏｕｔに基づき、画像表示、音声再生が行われる。更に、デコーダ１３は、デコード状況の情報であるデコード信号Ｓ１３をＣＰＵ１４へ出力する。ＣＰＵ１４は、チューナ１１ｂへ同調制御信号Ｓ１４−１を出力し、ＯＦＤＭ復調部１２へ制御信号Ｓ１４−２を出力し、デコーダ１３へ制御信号Ｓ１４−３を出力する。
【００１５】
リモコンチャンネル番号と物理周波数との対応付けを行うための放送パラメータは、デコーダ１３にて得ることができる。放送パラメータを得るためには、チューナ１１ｂに与えられた所定の放送波ＵＨＦを、ＯＦＤＭ復調部１２で復調処理してＴＳ信号Ｓｔｓとして出力し、デコーダ１３でＴＳ信号Ｓｔｓから放送パラメータの抽出を行う。放送波スキャンでは、与えられた全てのチャンネルに対して、放送パラメータの検索を行うことが課せられる。
【００１６】
図３の地上デジタル放送受信装置において、放送波スキャンを実施するならば、チューナ１１ｂの同調処理時間をＴ１１ｂ、ＯＦＤＭ復調部１２の復調処理時間をＴ１２、デコーダ１３のデコード処理時間をＴ１３、ＣＰＵ１４から各ブロックへの制御を行う制御処理時間をＴ１４とすると、一つのチャンネルの放送波スキャンを実施するスキャン時間Ｔｓｃａｎは、下記の（１）式で表される。
Ｔｓｃａｎ＝（Ｔ１１ｂ＋Ｔ１２＋Ｔ１３＋Ｔ１４）      ・・・・・・（１）
更に、ＯＦＤＭ復調部１２の復調処理時間Ｔ１２は、同期確立部１２ａの同期確立処理時間Ｔ１２ａ、復調部１２ｂの変換処理時間Ｔ１２ｂ、誤り訂正部１２ｃの誤り訂正処理時間Ｔ１２ｃと詳細化できるので、（１）式から下記の（２）式が得られる。
Ｔｓｃａｎ＝（Ｔ１１ｂ＋Ｔ１２ａ＋Ｔ１２ｂ＋Ｔ１２ｃ＋Ｔ１３＋Ｔ１４）
・・・・・・（２）
【００１７】
ここで、与えられた全てのチャンネル数をＮとし、放送波スキャン全体で必要となる合計時間をＴｔとすると、下記の（３）式が得られる。
Ｔｔ＝Ｔｓｃａｎ×Ｎ
＝（Ｔ１１ｂ＋Ｔ１２ａ＋Ｔ１２ｂ＋Ｔ１２ｃ＋Ｔ１３＋Ｔ１４）×Ｎ
・・・・・・（３）
【発明の開示】
【発明が解決しようとする課題】
【００１８】
しかしながら、図３の地上デジタル放送受信装置では、以下のような課題があった。
現状のデジタルテレビジョン放送では、図２に示すように、与えられた全てのチャンネル数は５０チャンネルあり、その地域で放送が行われている数は１０チャンネルに満たないという状況である。残りの４０チャンネル以上のチャンネルについては、放送がされていないということを正しく認識する必要があるので、充分に放送の有無が判定できるスキャン時間Ｔｓｃａｎをとる必要があり、放送パラメータがあるチャンネルに対して、検索し判定するスキャン時間Ｔｓｃａｎはより長い時間が必要となる。そのため、与えられた全てのチャンネルを検索する合計時間Ｔｔは、膨大な時間を要することになり、放送エリアが頻繁にかわる携帯端末では、重大な課題となっていた。
【課題を解決するための手段】
【００１９】
本発明におけるデジタル放送のチャンネル検出方法では、同調処理、同期確立処理、判定処理、復調処理、デコード処理及び遷移処理を実行している。
【００２０】
前記同調処理は、デジタル信号からなる放送波のスキャン指示に基づいて、前記放送波に対する所定の周波数帯域のチャンネルが設定され、前記設定されたチャンネルを選択して同調をとる。前記同期確立処理は、前記同調処理の処理結果に対し、同期確立を行って同期再生信号を出力すると共に、所定の時間の計時を開始する。前記判定処理は、前記所定の時間の計時が完了する前に、前記チャンネルにおいて放送が行われているかの判定を行う。前記復調処理は、前記同期再生信号を復調してＴＳ信号を出力する。
【００２１】
前記デコード処理は、前記ＴＳ信号を復号すると共に、前記ＴＳ信号に対する放送パラメータの抽出を行う。前記遷移処理は、前記放送パラメータの抽出が完了、または、抽出不可能のときに次の前記チャンネルへの遷移指示が与えられて、前記所定の時間の計時が完了しているときには、前記チャンネルが最終チャンネルでなければ、次の前記チャンネルを前記同調処理に対して設定し、前記最終チャンネルであればチャンネル検出を終了する。
【００２２】
また、本発明におけるデジタル放送の受信装置では、受信装置は、チューナ、同期確立部、計時手段、判定手段、復調手段、デコード手段及び制御手段を有している。
【００２３】
前記チューナは、放送波のスキャン指示に基づいて、前記放送波に対する所定の周波数帯域のチャンネルが設定され、前記設定されたチャンネルを選択して同調をとる。前記同期確立部は、前記チューナの同調結果に対し、同期確立を行って同期再生信号を出力する。前記計時手段は、前記同期確立部が同期確立を行ったときに、所定の時間の計時を開始する。判定手段は、前記所定の時間の計時が完了する前に、前記チャンネルにおいて放送が行われているかの判定を行う。前記復調手段は、前記同期再生信号を復調してＴＳ信号を出力する。
【００２４】
前記デコード手段は、前記ＴＳ信号を復号すると共に、前記ＴＳ信号に対する放送パラメータの抽出を行う。前記制御手段は、前記放送パラメータの抽出が完了、または、抽出不可能のときに次の前記チャンネルへの遷移指示が与えられて、前記所定の時間の計時が完了しているときには、前記チャンネルが最終チャンネルでなければ、次の前記チャンネルを前記同調処理に対して設定し、前記最終チャンネルであればチャンネル検出を終了する。
【発明の効果】
【００２５】
本発明のデジタル放送のチャンネル検出方法及びそれを用いた受信装置によれば、同期確立を行って、所定の時間の計時を開始し、前記所定の時間の計時が完了する前に、前記チャンネルにおいて放送が行われているかの判定を行うようにしたので、放送の有無の判定を短時間で行えるようになり、与えられた全てのチャンネルを検索する時間も短縮できる。
【発明を実施するための最良の形態】
【００２６】
チャンネル検出方法では、放送波に対する所定の周波数帯域のチャンネルを設定して、前記設定したチャンネルを選択して同調をとる。同調結果に対し、同期確立を行って同期再生信号を出力すると共に、所定の時間の計時を開始する。前記所定の時間の計時が完了する前に、前記チャンネルにおいて放送が行われているかの判定を行う。前記同期再生信号を復調してＴＳ信号を出力する。
【００２７】
更に、前記ＴＳ信号を復号すると共に、前記ＴＳ信号に対する放送パラメータの抽出を行う。前記放送パラメータの抽出が完了、または、抽出不可能のときに次の前記チャンネルへの遷移指示が与えられて、前記所定の時間の計時が完了しているときには、前記チャンネルが最終チャンネルでなければ、次の前記チャンネルを前記同調処理に対して設定し、前記最終チャンネルであればチャンネル検出を終了する。
【００２８】
受信装置は、チューナ、同期確立部、計時手段、判定手段、復調手段、デコード手段及び制御手段を有している。
【００２９】
前記チューナは、放送波に対する所定の周波数帯域のチャンネルを設定して、前記設定したチャンネルを選択して同調をとる。前記同期確立部は、同調結果に対し、同期確立を行って同期再生信号を出力する。前記計時手段は、所定の時間の計時を行う。判定手段は、前記チャンネルにおいて放送が行われているかの判定を行う。前記復調手段は、前記同期再生信号を復調してＴＳ信号を出力する。
【００３０】
前記デコード手段は、前記ＴＳ信号を復号し、放送パラメータの抽出を行う。前記制御手段は、次のチャンネルへの遷移指示が与えられて、前記所定の時間の計時が完了しているときには、前記チャンネルが最終チャンネルでなければ、次の前記チャンネルを前記同調処理に対して設定し、前記最終チャンネルであればチャンネル検出を終了する。
【実施例１】
【００３１】
（実施例１の構成）
図４は、本発明の実施例１におけるデジタル放送の受信装置（例えば、地上デジタル放送受信装置）を示す概略の構成図である。
【００３２】
この地上デジタル放送受信装置は、デジタル放送波からなる放送波ＵＨＦを受信してベースバンド信号Ｓ２１ｂを出力する受信部２１と、ベースバンド信号Ｓ２１ｂを復調してＴＳ信号Ｓｔｓとして出力するＯＦＤＭ復調部２２とを有している。
【００３３】
ＯＦＤＭ復調部２２の出力側には、ＴＳ信号Ｓｔｓを復号して出力データＤｏｕｔを出力すると共に、デコード信号Ｓ２６を出力するデコード手段（例えば、デコーダ）２６が接続され、更に、このデコーダ２６は、放送波スキャン開始・終了指示Ｓ２７−１及び制御信号Ｓ２７−２を出力するＣＰＵ２７が接続されている。
【００３４】
受信部２１は、放送波ＵＨＦを受信するアンテナ２１ａと、同調制御信号Ｓ２５−１が入力され、放送波ＵＨＦに対して所定の周波数帯域のチャンネルを選択して同調をとり、ベースバンド信号Ｓ２１ｂを出力するチューナ２１ｂとにより構成されている。
【００３５】
ＯＦＤＭ復調部２２は、ベースバンド信号Ｓ２１ｂに同期確立を行って同期再生信号Ｓ２２ａ−１を出力すると共に、同期確立信号Ｓ２２ａ−２を出力する同期確立部２２ａと、同期再生信号Ｓ２２ａ−１に高速フーリエ変換を行って復調信号Ｓ２２ｂを出力する復調部２２ｂと、復調信号Ｓ２２ｂの誤りを訂正して、デインタリーブ処理を行い、ＴＳ信号Ｓｔｓを出力する誤り訂正部２２ｃと、チューナ２１ｂに同調制御信号Ｓ２５−１を出力し、同期確立部２２ａ、復調部２２ｂ、誤り訂正部２２ｃの制御を行うチューナ・ＯＦＤＭ復調制御部２３とにより構成されている。
【００３６】
チューナ・ＯＦＤＭ復調制御部２３は、タイマ満了信号Ｓ２４を出力するタイマ２４と、判定手段であり、制御手段でもある制御回路２５とにより構成されている。タイマ２４は、制御信号Ｓ２５−３に基づき、所定の時間の計時をする計時手段（例えば、同期確立タイマ部）２４ａを有している。制御回路２５は、放送波スキャン開始・終了指示Ｓ２７−１及び同期確立信号Ｓ２２ａ−２が入力され、同調制御信号Ｓ２５−１、制御信号Ｓ２５−２，制御信号Ｓ２５−３、放送波スキャン完了信号Ｓ２５−４を出力し、ＴＳ信号Ｓｔｓが出力されていることの通知を行う。
【００３７】
（実施例１の方法）
図１は、本発明の実施例１の地上デジタル放送受信装置におけるデジタル放送のチャンネル検出方法の処理手順を示すフローチャートである。
【００３８】
本実施例１の地上デジタル放送受信装置におけるデジタル放送のチャンネル検出方法は、以下の処理手順（１）〜（６）に従って実行される。
【００３９】
（１）同調処理
制御回路２５は、ＣＰＵ２７から放送波スキャン開始・終了指示Ｓ２７−１を受領し（処理Ｐ１）、チューナ２１ｂに対して所定の周波数への同調制御を行う（処理Ｐ２）。
【００４０】
（２）同期確立処理
チューナ２１ｂが所定の周波数への同調が完了した時点で、制御回路２５から制御信号Ｓ２５−２が出力され、同期確立部２２ａ、復調部２２ｂ、誤り訂正部２２ｃは、初期化され、動作を開始する。また、同期確立タイマ部２４ａをリセットし、カウント開始する（処理Ｐ３）。
【００４１】
（３）判定処理
同期確立タイマ部２４ａが満了する前に（処理Ｐ４−２）、同期確立部２２ａからの同期確立信号Ｓ２２ａ−２を受領した場合は、所定の周波数帯域のチャンネルにおいて放送が行われていると判断する（処理Ｐ４−１）。
【００４２】
（４）復調処理
ＯＦＤＭ復調部２２からデコーダ２６にＴＳ信号Ｓｔｓを出力する。更に、制御回路２５は、デコーダ２６で放送パラメータを検出中であることをＣＰＵ２７に通知する（処理Ｐ５）。
【００４３】
（５）デコード処理
ＴＳ信号Ｓｔｓを復号すると共に、ＴＳ信号Ｓｔｓに対する放送パラメータの抽出を行う（図示はされていない）。
【００４４】
（６）遷移処理
ＣＰＵ２７は、該チャンネルの放送パラメータの抽出が完了、または抽出不可能と判断した時点で次のチャンネルへの遷移を指示する（処理Ｐ６）。最終チャンネルでなければ（処理Ｐ７）、次のチャンネルへの遷移動作を行い（処理Ｐ８）、処理手順Ｐ３〜Ｐ７を繰り返す。そうでなければ終了する（処理Ｐ９）。また、同期確立部２２ａからの同期確立信号２２ａ−２を受領せずに、同期確立タイマ部２４ａが満了したときには（処理Ｐ４−２）、該チャンネルには放送がされていないと判断し、最終チャンネルでなければ（処理Ｐ７）、次のチャンネルへの遷移動作を行い（処理Ｐ８）、処理手順Ｐ３〜Ｐ７を繰り返す。そうでなければ終了する（処理Ｐ９）。
【００４５】
ここで、前記処理手順を実行したときの図４における地上デジタル放送受信装置の放送波スキャン時間は、次のように計算される。チューナ２１ｂの処理Ｐ２の時間をＴ２１ｂ、同期確立部２２ａの処理Ｐ４−１の時間をＴ２２ａ、復調部２２ｂの変換処理時間をＴ２２ｂ、誤り訂正部２２ｃの誤り訂正処理時間をＴ２２ｃ、デコーダ２６のデコード処理時間をＴ２６、ＣＰＵ２７から各ブロックへの制御を行う処理Ｐ１，Ｐ６の時間をＴ２７、与えられた全てのチャンネル数をＮとすると、合計時間Ｔｔは、下記の（４）式で表される。
Ｔｔ＝（Ｔ２１ｂ＋Ｔ２２ａ＋Ｔ２２ｂ＋Ｔ２２ｃ＋Ｔ２６＋Ｔ２７）×Ｎ
・・・・・・（４）
【００４６】
更に、放送が行われていることを同期確立部２２ａで検出したチャンネル数をＮ１、放送が行われていることを同期確立部２２ａで検出しなかったチャンネル数をＮ２とすると、放送が行われていないときは、復調部２２ｂ、誤り訂正部２２ｃ、デコーダ２６は動作しない。また、ＣＰＵ２７は、放送波スキャンが開始及び終了するときに動作をするので、（４）式から下記の（５）式が得られる。
Ｔｔ＝（Ｔ２１ｂ＋Ｔ２２ａ＋Ｔ２２ｂ＋Ｔ２２ｃ＋Ｔ２６＋Ｔ２７）×Ｎ１
＋（Ｔ２１ｂ＋Ｔ２２ａ）×Ｎ２＋Ｔ２７    ・・・・・・（５）
【００４７】
（５）式より、従来のデジタル放送のチャンネル検出方法に比べて、合計時間Ｔｔが短縮できることがわかる。
【００４８】
（実施例１の効果）
本実施例１におけるデジタル放送のチャンネル検出方法及びそれを用いた受信装置によれば、同期確立タイマ部２４ａを用い、同期確立部２２ａからの同期確立信号Ｓ２２ａに基づいて放送の有無を判断するようにしたことにより、次の（ａ），（ｂ）のような効果がある。
【００４９】
（ａ）  放送が行われていないときは、処理時間Ｔ２２ｂ，Ｔ２２ｃ，Ｔ２６を省略できるので、放送波スキャンの合計時間Ｔｔを短縮できる。
【００５０】
（ｂ）  チューナ２１ｂ、同期確立部２２ａ、復調部２２ｂ、誤り訂正部２２ｃへの制御を自動的に行うことが可能となったことで、ＣＰＵ２７の負荷を軽減でき、他の画像処理や音声処理を行える。更に、他の処理もなければ省電力動作を行うこともできる。
【実施例２】
【００５１】
（実施例２の構成）
図５は、本発明の実施例２におけるデジタル放送の受信装置（例えば、地上デジタル放送受信装置）を示す概略の構成図であり、実施例１を示す図４中の要素と共通の要素には、共通の符号が付されている。
【００５２】
この実施例２の地上デジタル放送受信装置では、実施例１と同様の受信部２１と、実施例１とは構成の異なるＯＦＤＭ復調部２２Ａと、実施例１と同様のデコーダ２６と、実施例１と同様のＣＰＵ２７とで構成されている。
【００５３】
ＯＦＤＭ復調部２２Ａにおいて、実施例１のＯＦＤＭ復調部２２と異なるのは、誤り訂正部２２ｃが誤りを元々含んでいない、または、全ての誤りを訂正できたという情報を示す正常復号信号Ｓ２２ｃを出力することと、チューナ・ＯＦＤＭ復調制御部２３Ａの構成である。
【００５４】
チューナ・ＯＦＤＭ復調制御部２３Ａは、タイマ満了信号Ｓ２４Ａを出力するタイマ２４Ａと、第１及び第２の判定手段であり、制御手段でもある制御回路２５Ａで構成されている。タイマ２４Ａは、制御信号Ｓ２５Ａ−３に基づき、第１の時間の計時をする第１の計時手段（例えば、同期確立タイマ部）２４ａと、制御信号Ｓ２５Ａ−３に基づき、第２の時間の計時をする第２の計時手段（例えば、誤り訂正タイマ部）２４ｂとを有している。制御回路２５Ａは、放送波スキャン開始・終了指示Ｓ２７−１、同期確立信号Ｓ２２ａ−２、正常復号信号Ｓ２２ｃが入力され、同調制御信号Ｓ２５Ａ−１、制御信号Ｓ２５Ａ−２，制御信号Ｓ２５Ａ−３、放送波スキャン完了信号Ｓ２５Ａ−４を出力し、ＴＳ信号Ｓｔｓが出力されていることの通知を行う。
【００５５】
（実施例２の方法）
図６は、図５の地上デジタル放送受信装置におけるデジタル放送のチャンネル検出方法の処理手順を示すフローチャートであり、実施例１を示す図１中の要素と共通の要素には、共通の符号が付されている。
【００５６】
本実施例２の地上デジタル放送受信装置におけるデジタル放送のチャンネル検出方法は、以下の処理手順（１）〜（７）に従って実行される。
【００５７】
（１）  同調処理
実施例１の同調処理と同様の処理Ｐ１，Ｐ２を行う。
【００５８】
（２）  同期確立処理
実施例１の同調処理と同様の処理Ｐ３を行う。
【００５９】
（３）  第１の判定処理
実施例１の判定処理と異なり、同期確立タイマ部２４ａが満了する前に（処理Ｐ１１−２）、同期確立部２２ａからの同期確立信号Ｓ２２ａ−２を受領した場合は、所定の周波数帯域のチャンネルにおいて放送が行われていると判断し、誤り訂正タイマ部２４ｂをリセットし、カウント開始する（処理Ｐ１１−１）。
【００６０】
（４）  第２の判定処理
実施例１の判定処理と異なり、誤り訂正タイマ部２４ｂが満了する前に（処理Ｐ１２−２）、誤り訂正部２２ｃからの正常復号信号Ｓ２２ｃを受領した場合は、所定の周波数帯域のチャンネルにおいて放送が行われていると判断する（処理Ｐ１２−１）。
【００６１】
（５）  誤り訂正処理
実施例１の復調処理と異なり、誤り訂正部２２ｃからデコーダ２６にＴＳ信号Ｓｔｓを出力する。更に、制御回路２５は、デコーダ２６で放送パラメータを検出中であることをＣＰＵ２７に通知する（処理Ｐ１３）。
【００６２】
（６）デコード処理
実施例１のデコード処理と同様の処理を行う（図示はされていない）。
【００６３】
（７）遷移処理
実施例１の遷移処理と異なり、ＣＰＵ２７は、該チャンネルの放送パラメータの抽出が完了、または抽出不可能と判断した時点で次のチャンネルへの遷移を指示する（処理Ｐ６）。最終チャンネルでなければ（処理Ｐ７）、次のチャンネルへの遷移動作を行い（処理Ｐ８）、処理手順Ｐ３〜Ｐ７を繰り返す。そうでなければ終了する（処理Ｐ９）。
【００６４】
また、同期確立部２２ａからの同期確立信号２２ａ−２を受領せずに、同期確立タイマ部２４ａが満了したときには（処理Ｐ１１−２）、該チャンネルには放送がされていないと判断し、最終チャンネルでなければ（処理Ｐ７）、次のチャンネルへの遷移動作を行い（処理Ｐ８）、処理手順Ｐ３〜Ｐ７を繰り返す。そうでなければ終了する（処理Ｐ９）。
【００６５】
更に、同期確立信号Ｓ２２ａ−２を受領した後、誤り訂正部２２ｃからの正常復号信号Ｓ２２ｃを受領せずに、誤り訂正タイマ部２４ｂが満了したときには（処理Ｐ１２−２）、該チャンネルには放送がされていないと判断し、最終チャンネルでなければ（処理Ｐ７）、次のチャンネルへの遷移動作を行い（処理Ｐ８）、処理手順Ｐ３〜Ｐ７を繰り返す。そうでなければ終了する（処理Ｐ９）。
【００６６】
ここで、前記処理手順を実行したときの図５における地上デジタル放送受信装置の放送波スキャン時間は、次のように計算される。
【００６７】
誤り訂正処理において、正しく放送されていると判定するチャンネル数をＮ１１、誤って放送されていると判定するチャンネル数をＮ１２とすると、（５）式から下記の（６）式が得られる。
Ｔｔ＝（Ｔ２１ｂ＋Ｔ２２ａ＋Ｔ２２ｂ＋Ｔ２２ｃ＋Ｔ２６＋Ｔ２７）
×（Ｎ１１＋Ｎ１２）＋（Ｔ２１ｂ＋Ｔ２２ａ）×Ｎ２＋Ｔ２７
・・・・・・（６）
【００６８】
誤って放送されていると判定した場合は、デコーダ２６、ＣＰＵ２７の処理は省略されるので、（６）式から下記の（７）式が得られる。
Ｔｔ＝（Ｔ２１ｂ＋Ｔ２２ａ＋Ｔ２２ｂ＋Ｔ２２ｃ＋Ｔ２６＋Ｔ２７）×Ｎ１１
＋（Ｔ２１ｂ＋Ｔ２２ａ＋Ｔ２２ｂ＋Ｔ２２ｃ）×Ｎ１２
＋（Ｔ２１ｂ＋Ｔ２２ａ）×Ｎ２＋Ｔ２７    ・・・・・・（７）
【００６９】
（７）式より、実施例１のデジタル放送のチャンネル検出方法に比べて、合計時間Ｔｔが短縮できることがわかる。
【００７０】
（実施例２の効果）
本実施例２におけるデジタル放送のチャンネル検出方法及びそれを用いた受信装置によれば、誤り訂正タイマ部２４ｂを用い、誤り訂正部２２ｃからの正常復号信号Ｓ２２ｃに基づいて放送の有無を判断するようにしたことにより、実施例１の効果に加えて、以下のような効果がある。
【００７１】
同期確立信号Ｓ２２ａ−２に基づく誤判定が破棄されることで、放送波スキャンの合計時間Ｔｔは短縮される。更に、デコーダ２６、ＣＰＵ２７の消費電力を削減できる。
【実施例３】
【００７２】
（実施例３の構成）
図７は、本発明の実施例３におけるデジタル放送の受信装置（例えば、地上デジタル放送受信装置）を示す概略の構成図であり、実施例２を示す図５中の要素と共通の要素には、共通の符号が付されている。
【００７３】
この実施例３の地上デジタル放送受信装置では、実施例２のデジタル放送の受信装置との相違点として、取得手段（例えば、ＣＰＵ）２７から参照できる第２の放送局情報を保有した放送局情報テーブル２８が追加されている。その他の構成は、実施例２と同様である。
【００７４】
（実施例３の方法）
図８は、図７の地上デジタル放送受信装置におけるデジタル放送のチャンネル検出方法の処理手順を示すフローチャートであり、実施例２を示す図６中の要素と共通の要素には、共通の符号が付されている。
【００７５】
このフローチャートを使って、図７の地上デジタル放送受信装置の動作を以下の動作手順（１）〜（７）に従い説明する。
【００７６】
（１）  同調処理
実施例１，２の同調処理と同様の処理Ｐ１，Ｐ２を行う。
【００７７】
（２）  同期確立処理
実施例１，２の同調処理と同様の処理Ｐ３を行う。
【００７８】
（３）第１の判定処理
実施例２の第１の判定処理と同様の処理Ｐ４−１を行う。
【００７９】
（４）  第２の判定処理
実施例２の第２の判定処理と同様の処理Ｐ１１−１を行う。
【００８０】
（５）  誤り訂正処理
実施例２の誤り訂正処理と同様の処理Ｐ１３を行う。
【００８１】
（６）  デコード処理
実施例１，２のデコード処理と同様の処理を行う（図示はされていない）。
【００８２】
（７）  遷移処理
実施例２の遷移処理と異なり、ＣＰＵ２７は、該チャンネルの放送パラメータの抽出が不可能と判断した時点で次のチャンネルへの遷移を指示する（処理Ｐ２１）。最終チャンネルでなければ（処理Ｐ７）、次のチャンネルへの遷移動作を行い（処理Ｐ８）、処理手順Ｐ３〜Ｐ７を繰り返す。そうでなければ終了する（処理Ｐ９）。
【００８３】
また、同期確立部２２ａからの同期確立信号２２ａ−２を受領せずに、同期確立タイマ部２４ａが満了したときには（処理Ｐ１１−２）、該チャンネルには放送がされていないと判断し、最終チャンネルでなければ（処理Ｐ７）、次のチャンネルへの遷移動作を行い（処理Ｐ８）、処理手順Ｐ３〜Ｐ７を繰り返す。そうでなければ終了する（処理Ｐ９）。
【００８４】
更に、同期確立信号Ｓ２２ａ−２を受領した後、誤り訂正部２２ｃからの正常復号信号Ｓ２２ｃを受領せずに、誤り訂正タイマ部２４ｂが満了したときには（処理Ｐ１２−２）、該チャンネルには放送がされていないと判断し、最終チャンネルでなければ（処理Ｐ７）、次のチャンネルへの遷移動作を行い（処理Ｐ８）、処理手順Ｐ３〜Ｐ７を繰り返す。そうでなければ終了する（処理Ｐ９）。
【００８５】
（８）  取得処理
実施例２の地上デジタル放送受信装置におけるデジタル放送のチャンネル検出方法には、更に、ＣＰＵ２７は、該チャンネルの第１の放送局情報を含む放送パラメータの抽出が完了した時点で、終了を指示する（処理Ｐ２２）。終了を指示した後に、放送局情報テーブル２８に保有した第２の放送局情報を検索・展開して取得する（処理Ｐ２３）。
【００８６】
ここで、前記処理手順を実行したときの図７における地上デジタル放送受信装置の放送
波スキャン時間は、次のように計算される。
【００８７】
最初に放送パラメータを確認した時点で、放送波スキャン結果を得られるのでＮ１１＝１である。また、放送パラメータを得るまでの放送されていないと判定するチャンネル数をＮ３とすると、（７）式から下記の（８）式が得られる。
Ｔｔ＝（Ｔ２１ｂ＋Ｔ２２ａ＋Ｔ２２ｂ＋Ｔ２２ｃ＋Ｔ２６＋Ｔ２７）
＋（Ｔ２１ｂ＋Ｔ２２ａ＋Ｔ２２ｂ＋Ｔ２２ｃ）×Ｎ１２
＋（Ｔ２１ｂ＋Ｔ２２ａ）×Ｎ３＋Ｔ２７    ・・・・・・（８）
【００８８】
（８）式より、実施例２のデジタル放送のチャンネル検出方法に比べて、合計時間Ｔｔが短縮できることがわかる。
【００８９】
（実施例３の効果）
本実施例３の地上デジタル放送受信装置によれば、放送局情報テーブル２８を設けたことで、実施例１，２の効果に加えて、以下のような効果がある。
【００９０】
放送波スキャンをするチャンネル数を減らすことが可能となり、非常に短時間で放送波スキャンを終了可能である。また、放送エリアの識別だけで、放送波スキャン結果を得られるので、放送エリアが頻繁にかわる携帯電話やカーナビ等の携帯端末での利用に適している。
【００９１】
（変形例）
本発明は、上記実施例１，２，３に限定されず、種々の利用形態や変形が可能である。この利用形態や変形例としては、例えば、次の（ａ）〜（ｅ）のようなものがある。
【００９２】
（ａ）  実施例２，３では、同期確立タイマ部２４ａと誤り訂正タイマ部２４ｂは分かれていたが、時間的に分離していれば共用できる。共用することで実装面積を減らすことができる。
【００９３】
（ｂ）  実施例１，２，３では、判定処理に制御回路２５を用いたが、所定の周波数帯域のチャンネルにおいて放送が行われているかを判定できる回路構成であればよい。
【００９４】
（ｃ）  実施例１，２，３のデコード処理は、デコーダ２６を用いたが、ＮＯＴ回路やＡＮＤ回路等を組み合わせた論理回路で構成することもできる。
【００９５】
（ｄ）  実施例１，２，３では、遷移処理に制御回路２５を用いたが、設定したチャンネルで放送が行われていないと判定したときには、次のチャンネルのサーチに遷移するか、最終チャンネルの場合には終了するという制御を行う回路構成であればよい。
【００９６】
（ｅ）  実施例１，２，３では、地上デジタル放送受信装置について説明したが、ワンセグに対応した携帯端末、カーナビ、ＢＳデジタル等のその他のデジタル放送にも適用できる。
【図面の簡単な説明】
【００９７】
【図１】本発明の実施例１の地上デジタル放送受信装置におけるデジタル放送のチャンネル検出方法の処理手順を示すフローチャートである。
【図２】従来のデジタル放送の復調方法を示す図である。
【図３】従来の地上デジタル放送受信装置を示す概略の構成図である。
【図４】本発明の実施例１におけるデジタル放送の受信装置を示す概略の構成図である。
【図５】本発明の実施例２におけるデジタル放送の受信装置を示す概略の構成図である。
【図６】図５の地上デジタル放送受信装置におけるデジタル放送のチャンネル検出方法の処理手順を示すフローチャートである。
【図７】本発明の実施例３におけるデジタル放送の受信装置を示す概略の構成図である。
【図８】図７の地上デジタル放送受信装置におけるデジタル放送のチャンネル検出方法の処理手順を示すフローチャートである。
【符号の説明】
【００９８】
１１ｂ，２１ｂ      チューナ
１２ａ，２２ａ      同期確立部
１２ｂ，２２ｂ      復調部
１２ｃ，２２ｃ      誤り訂正部
１３，２６      デコーダ
１４，２７      ＣＰＵ
２４−１      同期確立タイマ
２４−２      誤り訂正タイマ
２５      制御回路
【図１】
2008118196.tif 000003
【図２】
2008118196.tif 000004
【図３】
2008118196.tif 000005
【図４】
2008118196.tif 000006
【図５】
2008118196.tif 000007
【図６】
2008118196.tif 000008
【図７】
2008118196.tif 000009
【図８】
2008118196.tif 000010